(57)【要約】【課題】  パケット誤り率の劣化を抑えつつ、送信リソースを効率良く使用する。【解決手段】  本発明に係るパケット送信制御装置１００は、パケットの送信に使用可能な送信リソースと、下りリンクの無線品質情報と、パケットの送信に用いられる送信方法とを関連付けて記憶する記憶部１７０と、移動局１０から報告された下りリンクの無線品質情報と、パケットの送信に使用可能な送信リソースとに基づいて、記憶部１７０を参照して、パケットの送信に用いられる送信方法を決定する決定部１４０と、決定された送信方法を用いてパケットを送信するパケット送信部１１１とを具備する。【選択図】  図４
2006115357.tif 000002
【特許請求の範囲】
【請求項１】
複数の移動局に対する下りリンクのパケットの送信を制御するパケット送信制御装置であって、
前記パケットの送信に使用可能な送信リソースと、前記下りリンクの無線品質情報と、前記パケットの送信に用いられる送信方法とを関連付けて記憶する記憶部と、
前記移動局から報告された前記下りリンクの無線品質情報と、前記パケットの送信に使用可能な送信リソースとに基づいて、前記記憶部を参照して、前記パケットの送信に用いられる送信方法を決定する決定部と、
決定された前記送信方法を用いて前記パケットを送信するパケット送信部とを具備することを特徴とするパケット送信制御装置。
【請求項２】
前記記憶部は、
前記送信方法として、前記パケットの送信に用いられるトランスポートブロックサイズを記憶しており、
前記記憶部において、前記下りリンクの無線品質情報及び前記パケットの送信に使用可能なコードリソースが固定されている場合に、前記トランスポートブロックサイズは、所定のパケット誤り率を満たし、かつ、最大値となるように設定されていることを特徴とする請求項１に記載のパケット送信制御装置。
【請求項３】
前記記憶部は、前記送信方法として、前記パケットの送信に用いられるトランスポートブロックサイズと、前記パケットの送信に用いられる変調方式と、前記パケットの送信に用いられるコードリソース量と、前記パケットの送信に用いられる電力リソース量とを記憶することを特徴とする請求項１に記載のパケット送信制御装置。
【請求項４】
前記決定部は、送信すべきパケットのデータ量が、前記送信方法として決定されたトランスポートブロックサイズより少ない場合に、該送信方法として決定された電力リソース量を低減することを特徴とする請求項１に記載のパケット送信制御装置。
【請求項５】
前記決定部は、「（低減する電力リソース量）＝｛（送信方法として決定されたトランスポートブロックサイズに相当する無線品質情報）−（送信すべきパケットのデータ量に相当する無線品質情報）｝×（任意の係数）」に従って、低減する電力リソース量を決定することを特徴とする請求項４に記載のパケット送信制御装置。
【請求項６】
前記任意の係数は、１未満であることを特徴とする請求項５に記載のパケット送信制御装置。
【請求項７】
前記決定部は、前記電力リソース量を低減した場合で、かつ、前記パケットの送信に用いられる電力リソース量が所定の下限値よりも小さい場合に、該所定の下限値を前記パケットの送信に用いられる電力リソース量として決定することを特徴とする請求項４に記載のパケット送信制御装置。
【請求項８】
前記決定部は、前記送信方法として決定されたトランスポートブロックサイズが、最小データ送信単位よりも小さい場合、前記移動局に対して前記下りリンクのパケットを送信することを中止し、他の移動局に対して前記下りリンクのパケットを送信することを特徴とする請求項１に記載のパケット送信制御装置。
【請求項９】
前記決定部は、前記送信方法として決定されたトランスポートブロックサイズが、最小データ送信単位よりも小さい場合、前記最小データ送信単位で前記パケットを送信することができるように前記送信方法を決定することを特徴とする請求項１に記載のパケット送信制御装置。
【請求項１０】
前記決定部は、１つの送信タイミングにおいて、前記パケットの送信に使用可能な送信リソースが、前記複数の移動局に対して均等に割り当てられるように、前記送信方法を決定することを特徴とする請求項１に記載のパケット送信制御装置。
【請求項１１】
前記決定部は、前記パケットの送信を行う移動局の送信方法を決定する際に、該移動局の他に前記パケットを送信する移動局の数をＮとし、前記下りリンクの無線品質情報を「下りリンクの無線品質情報−１０×ｌｏｇ１０Ｎ」と変更し、前記送信方法として決定された電力リソース量を「１０×ｌｏｇ１０Ｎ」に相当する量だけ低減することによって、前記送信方法を決定することを特徴とする請求項１に記載のパケット送信制御装置。
【請求項１２】
前記決定部は、以前に送信した前記パケットを再送する場合に、以前の下りリンクの無線品質情報と、現在の下りリンクの無線品質情報と、以前の前記パケットの送信に使用可能な送信リソースと、現在の前記パケットの送信に使用可能な送信リソースとに基づいて、以前に前記パケットを送信した時の無線状態よりも、現在の無線状態の方が良いと判断した場合に、前記送信方法として決定された電力リソース量を低減することを特徴とする請求項１に記載のパケット送信制御装置。
【請求項１３】
前記決定部は、「（低減する電力リソース量）＝｛（現在の下りリンクの無線品質情報）−（以前の下りリンクの無線品質情報）｝×（任意の係数）＋｛（現在のパケットの送信に使用可能な電力リソース）−（以前のパケットの送信に使用可能な電力リソース）｝×（任意の係数）」に従って、低減する前記電力リソース量を決定することを特徴とする請求項１２に記載のパケット送信制御装置。
【請求項１４】
前記任意の係数は、１未満であることを特徴とする請求項１３に記載のパケット送信制御装置。
【請求項１５】
前記決定部は、前記電力リソース量を低減した場合で、かつ、前記パケットの送信に用いられる電力リソース量が所定の下限値よりも小さい場合に、該所定の下限値を前記パケットの送信に用いられる電力リソース量として決定することを特徴とする請求項１２に記載のパケット送信制御装置。
【請求項１６】
前記決定部は、以前に送信した前記パケットを再送する場合に、以前の下りリンクの無線品質情報と、現在の下りリンクの無線品質情報と、以前の前記パケットの送信に使用可能な送信リソースと、現在の前記パケットの送信に使用可能な送信リソースとに基づいて、以前に前記パケットを送信した時の無線状態よりも、現在の無線状態の方が悪いと判断した場合に、前記パケットの送信に使用可能な送信リソースを最大限に使用するように前記送信方法を決定することを特徴とする請求項１に記載のパケット送信制御装置。
【請求項１７】
前記決定部は、以前の前記パケットの送信の際に前記送信方法として決定された変調方式が１６ＱＡＭである場合で、かつ、該変調方式がＱＰＳＫに変更されたときの符号化率が所定値よりも小さくなる場合に、前記パケットの送信に用いられる変調方式をＱＰＳＫに変更することによって、前記パケットの送信に使用可能な送信リソースを最大限に使用するように前記送信方法を決定することを特徴とする請求項１６に記載のパケット送信制御装置。
【請求項１８】
前記決定部は、符号化率が１/３を下回らない範囲で前記パケットの送信に用いられるコードリソース量を大きくすることによって、前記パケットの送信に使用可能な送信リソースを最大限に使用するように前記送信方法を決定することを特徴とする請求項１６に記載のパケット送信制御装置。
【請求項１９】
前記決定部は、前記移動局から報告された前記下りリンクの無線品質情報が、所定の無線品質情報の上限値よりも大きい場合、前記移動局から報告された前記下りリンクの無線品質情報を、前記所定の無線品質情報の上限値に変更することによって、前記送信方法を決定することを特徴とする請求項１に記載のパケット送信制御装置。
【請求項２０】
前記決定部は、前記パケットの送信に使用可能な送信リソースに含まれる電力リソースが残っている場合、前記パケットの送信に用いられる送信方法として決定された電力リソース量に該電力リソースを加えることを特徴とする請求項１に記載のパケット送信制御装置。
【請求項２１】
前記記憶部は、前記送信方法として、前記パケットの送信に用いられる電力リソース量のオフセット値を記憶しており、
前記記憶部において、前記電力リソースのオフセット値のステップ幅は、１ｄＢ未満に設定されていることを特徴とする請求項１に記載のパケット送信制御装置。
【請求項２２】
複数の移動局に対する下りリンクのパケットの送信を制御するパケット送信制御方法であって、
前記パケットの送信に使用可能な送信リソースと、前記下りリンクの無線品質情報と、前記パケットの送信に用いられる送信方法とを関連付けるテーブルを生成する工程と、
前記移動局から報告された前記下りリンクの無線品質情報と、前記パケットの送信に使用可能な送信リソースとに基づいて、前記テーブルを参照して、前記パケットの送信に用いられる送信方法を決定する工程と、
決定された前記送信方法を用いて前記パケットを送信する工程とを有することを特徴とするパケット送信制御方法。
【発明の詳細な説明】
【技術分野】
【０００１】
本発明は、複数の移動局に対する下りリンクのパケットの送信を制御するパケット送信制御装置及びパケット送信制御方法に関する。
【背景技術】
【０００２】
従来、無線基地局が、当該無線基地局に属する移動局との間で通信を行う際に、下りリンクの無線状態に応じて、適応的に下りリンクのパケットの送信方法（例えば、変調方式や符号化率等の送信フォーマット等）を変更することによって、下りリンクのパケットの送信を制御する移動通信システムが知られている。かかる制御方式は、「適応変調・適応符号化（ＡＭＣ：Ａｄａｐｔｉｖｅ  Ｍｏｄｕｌａｔｉｏｎ  ａｎｄ  Ｃｏｄｉｎｇ）方式」と呼ばれている。
【０００３】
かかるＡＭＣ方式が適用されている移動通信システムでは、移動局が、下りリンクの無線状態を監視しており、監視した下りリンクの無線状態を、上りリンクを用いて無線基地局に通知するように構成されている。ここで、下りリンクの無線状態には、ＳＩＲやＣＩＲや受信電力等が含まれる。
【０００４】
また、無線基地局は、移動局によって通知された下りリンクの無線状態と、下りリンクのパケットの送信に使用可能な送信リソース（無線リソース）に基づいて、下りリンクの送信方法（例えば、変調方式や符号化率等の送信フォーマット等）を決定して、決定した送信方法によって下りリンクのパケットの送信を行うように構成されている。
【０００５】
このとき、下りリンクの無線状態に応じて無線基地局と移動局との間の通信を行うことができる場合、すなわち、移動局が無線基地局近傍に位置する場合や移動局の移動速度が小さい場合等のように、下りリンクの無線状態が良い場合には、ＡＭＣ方式が適用されている移動通信システムは、より高速の伝送速度で通信を行うことのできる送信方法を用いて、下りリンクのパケットの送信を行うように構成されている。
【０００６】
一方、移動局がセル端に位置する場合や移動局の移動速度が大きい場合等のように、下りリンクの無線状態が悪い場合には、ＡＭＣ方式が適用されている移動通信システムは、より低速の伝送速度で通信を行うことのできる送信方法を用いて、下りリンクのパケットの送信を行うように構成されている。
【０００７】
したがって、ＡＭＣ方式が適用されている移動通信システムは、伝搬環境の変動に応じた効率的な通信を行うことが可能となる。
【０００８】
ところで、第３世代移動通信システム、いわゆる「ＩＭＴ-２０００」の標準化については、地域標準化機関等により組織された３ＧＰＰ/３ＧＰＰ２（Ｔｈｉｒｄ-Ｇｅｎｅｒａｔｉｏｎ  Ｐａｒｔｎｅｒｓｈｉｐ  Ｐｒｏｊｅｃｔ/Ｔｈｉｒｄ-Ｇｅｎｅｒａｔｉｏｎ  Ｐａｒｔｎｅｒｓｈｉｐ  Ｐｒｏｊｅｃｔ  ２）において、前者では「Ｗ-ＣＤＭＡ方式」に係る標準仕様の策定作業がなされており、後者では「ｃｄｍａ２０００方式」に係る標準仕様の策定作業がなされている。
【０００９】
３ＧＰＰでは、近年のインターネットの急速な普及に伴い、特に下りリンクにおいてデータベースやＷｅｂサイトからのダウンロード等による高速・大容量のトラヒックが増加するとの予測に基づき、下り方向の高速パケット伝送方式である「ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式」の標準化が行われている（例えば、非特許文献１及び２参照）。
【００１０】
また、３ＧＰＰ２でも、上記同様の観点から、下り方向の高速パケット伝送方式「１ｘ-ＥＶ  ＤＯ」の標準化が行われている（例えば、非特許文献３参照）。なお、ｃｄｍａ２０００方式の「１ｘ-ＥＶ  ＤＯ」において、「ＤＯ」は「Ｄａｔａ  Ｏｎｌｙ」の意味である。
【００１１】
例えば、ＨＳＤＰＡ方式では、移動局と無線基地局との間の無線状態に応じて、無線チャネルの変調方式や符号化率を制御するＡＭＣ方式が用いられている。ここで、移動局は、上りリンクを介して、ＣＱＩ（Ｃｈａｎｎｅｌ  Ｑｕａｌｉｔｙ  Ｉｎｄｉｃａｔｏｒ）と呼ばれる制御情報（無線状態情報）を送信することによって、下りリンクの無線状態を無線基地局に通知するように構成されている。なお、ＣＱＩは、上りリンクのＨＳＤＰＡ用の個別物理制御チャネルＨＳ-ＤＰＣＣＨ（Ｈｉｇｈ  Ｓｐｅｅｄ-Ｄｅｄｉｃａｔｅｄ  Ｐｈｙｓｉｃａｌ  Ｃｏｎｔｒｏｌ  Ｃｈａｎｎｅｌ）にマッピングされている。
【００１２】
また、移動局は、下りリンクの共通パイロットチャネル（ＣＰＩＣＨ：Ｃｏｍｍｏｎ  Ｐｉｌｏｔ  Ｃｈａｎｎｅｌ）から求められたＳＩＲに基づいて、上述のＣＱＩを算出するように構成されている。例えば、移動局は、受信したパケットの誤り率が１０％となるように、ＣＱＩを算出するように構成されている。
【００１３】
一方、無線基地局は、ＣＱＩ及び下りリンクの無線リソース（すなわち、電力リソース及びコードリソース）を用いて、下りリンクのパケットの送信に用いられる送信方法（すなわち、変調方式やコードリソース量やトランスポートブロックサイズ（ＴＢＳ）や電力リソース量に対するオフセット値等の送信フォーマットや送信リソース）を決定して、かかる送信方法を用いて下りリンクのパケットの送信を行う。
【００１４】
また、ＨＳＤＰＡ方式においては、無線基地局及び移動局は、Ｈ-ＡＲＱ制御という再送制御も同時に行っており、移動局は、下りリンクのパケットを受信して、受信したパケットについての復号結果（ＯＫ又はＮＧ）を、下りリンクに関する送達確認情報として、ＨＳ-ＤＰＣＣＨにマッピングして上りリンクを介して送信する。一方、無線基地局は、かかる送達確認情報に基づいて、Ｈ-ＡＲＱ制御による再送制御を行う。
【００１５】
ここで、下りリンクの送達確認情報としては、Ａｃｋ/Ｎａｃｋ/ＤＴＸがある。「Ａｃｋ」は、パケットの受信に成功したことを示す肯定応答（ＯＫ）であり、「Ｎａｃｋ」は、パケットの受信が失敗したことを示す否定応答（ＮＧ）であり、「ＤＴＸ」は、移動局が下り方向の共有制御情報ＨＳ-ＳＣＣＨを何らかの理由で受信することができず、下りリンクのパケットの受信を行わなかったことを示す。
【非特許文献１】３ＧＰＰ  ＴＳ２５.２１４  Ｖ.５.９.０
【非特許文献２】３ＧＰＰ  ＴＲ２５.８４８  ｖ４.０.０
【非特許文献３】３ＧＰＰ２  Ｃ.Ｓ００２４  Ｒｅｖ.１.０.０
【発明の開示】
【発明が解決しようとする課題】
【００１６】
しかしながら、従来の移動通信システムでは、パケットの送信に用いられる送信リソースの低減と、誤り率の劣化との間のトレードオフの関係を制御することが困難であるという問題点があった。
【００１７】
また、従来の移動通信システムでは、Ｈ-ＡＲＱ制御における再送時の無線品質と初回送信時の無線品質との差や、送るべきパケットのデータ量に基づいて、下りリンクのパケットの送信に用いられる送信方法を決定していないため、不必要に送信リソース（コードリソースや電力リソース等の無線リソース）を消費してしまうという問題点があった。
【００１８】
そこで、本発明は、以上の点に鑑みてなされたもので、パケット誤り率の劣化を抑えつつ、送信リソースを効率良く使用することができるパケット送信制御装置及びパケット送信制御方法を提供することを目的とする。
【００１９】
また、本発明は、Ｈ-ＡＲＱ制御における再送時の無線品質と初回送信時の無線品質との差や、送るべきパケットのデータ量に基づいて、下りリンクのパケットの送信に用いられる送信方法を決定することによって、送信リソースを効率よく使用してパケットの送信を行うことができるパケット送信制御装置及びパケット送信制御方法を提供することを目的とする。
【課題を解決するための手段】
【００２０】
本発明の第１の特徴は、複数の移動局に対する下りリンクのパケットの送信を制御するパケット送信制御装置であって、前記パケットの送信に使用可能な送信リソースと、前記下りリンクの無線品質情報と、前記パケットの送信に用いられる送信方法とを関連付けて記憶する記憶部と、前記移動局から報告された前記下りリンクの無線品質情報と、前記パケットの送信に使用可能な送信リソースとに基づいて、前記記憶部を参照して、前記パケットの送信に用いられる送信方法を決定する決定部と、決定された前記送信方法を用いて前記パケットを送信するパケット送信部とを具備することを要旨とする。
【００２１】
かかる発明によれば、パケットの送信に使用可能な送信リソースと、下りリンクの無線品質情報と、パケットの送信に用いられる送信方法とを関連付けて記憶している記憶部を参照することによって、パケットの送信に用いられる送信方法を効率的に決定することができる。
【００２２】
本発明の第１の特徴において、前記記憶部が、前記送信方法として、前記パケットの送信に用いられるトランスポートブロックサイズを記憶しており、前記記憶部において、前記下りリンクの無線品質情報及び前記パケットの送信に使用可能なコードリソースが固定されている場合に、前記トランスポートブロックサイズは、所定のパケット誤り率を満たし、かつ、最大値となるように設定されていてもよい。
【００２３】
本発明の第１の特徴において、前記記憶部が、前記送信方法として、前記パケットの送信に用いられるトランスポートブロックサイズと、前記パケットの送信に用いられる変調方式と、前記パケットの送信に用いられるコードリソース量と、前記パケットの送信に用いられる電力リソース量とを記憶するように構成されていてもよい。
【００２４】
本発明の第１の特徴において、前記決定部が、送信すべきパケットのデータ量が、前記送信方法として決定されたトランスポートブロックサイズより少ない場合に、該送信方法として決定された電力リソース量を低減するように構成されていてもよい。
【００２５】
本発明の第１の特徴において、前記決定部が、「（低減する電力リソース量）＝｛（送信方法として決定されたトランスポートブロックサイズに相当する無線品質情報）−（送信すべきパケットのデータ量に相当する無線品質情報）｝×（任意の係数）」に従って、低減する電力リソース量を決定するように構成されていてもよい。ここで、前記任意の係数は、１未満であってもよい。  本発明の第１の特徴において、前記決定部が、前記電力リソース量を低減した場合で、かつ、前記パケットの送信に用いられる電力リソース量が所定の下限値よりも小さい場合に、該所定の下限値を前記パケットの送信に用いられる電力リソース量として決定するように構成されていてもよい。
【００２６】
本発明の第１の特徴において、前記決定部が、送信方法として決定されたトランスポートブロックサイズが、最小データ送信単位よりも小さい場合、前記移動局に対して前記下りリンクのパケットを送信することを中止し、他の移動局に対して前記下りリンクのパケットを送信するように構成されていてもよい。
【００２７】
本発明の第１の特徴において、前記決定部が、送信方法として決定されたトランスポートブロックサイズが、最小データ送信単位よりも小さい場合、最小データ送信単位で前記パケットを送信することができるように前記送信方法を決定するように構成されていてもよい。
【００２８】
本発明の第１の特徴において、前記決定部が、１つの送信タイミングにおいて、前記パケットの送信に使用可能な送信リソースが、前記複数の移動局に対して均等に割り当てられるように、前記送信方法を決定するように構成されていてもよい。
【００２９】
本発明の第１の特徴において、前記決定部が、前記パケットの送信を行う移動局の送信方法を決定する際に、該移動局の他に前記パケットを送信する移動局の数をＮとし、前記下りリンクの無線品質情報を「下りリンクの無線品質情報−１０×ｌｏｇ１０Ｎ」と変更し、前記送信方法として決定された電力リソース量を「１０×ｌｏｇ１０Ｎ」に相当する量だけ低減することによって、前記送信方法を決定するように構成されていてもよい。
【００３０】
本発明の第１の特徴において、前記決定部が、以前に送信した前記パケットを再送する場合に、以前の下りリンクの無線品質情報と、現在の下りリンクの無線品質情報と、以前の前記パケットの送信に使用可能な送信リソースと、現在の前記パケットの送信に使用可能な送信リソースとに基づいて、以前に前記パケットを送信した時の無線状態よりも、現在の無線状態の方が良いと判断した場合に、前記送信方法として決定された電力リソース量を低減するように構成されていてもよい。
【００３１】
本発明の第１の特徴において、前記決定部が、「（低減する電力リソース量）＝｛（現在の下りリンクの無線品質情報）−（以前の下りリンクの無線品質情報）｝×（任意の係数）＋｛（現在のパケットの送信に使用可能な電力リソース）−（以前のパケットの送信に使用可能な電力リソース）｝×（任意の係数）」に従って、低減する前記電力リソース量を決定するように構成されていてもよい。ここで、前記任意の係数は、１未満であってもよい。
【００３２】
本発明の第１の特徴において、前記決定部が、前記電力リソース量を低減した場合で、かつ、前記パケットの送信に用いられる電力リソース量が所定の下限値よりも小さい場合に、該所定の下限値を前記パケットの送信に用いられる電力リソース量として決定するように構成されていてもよい。
【００３３】
本発明の第１の特徴において、前記決定部が、以前に送信した前記パケットを再送する場合に、以前の下りリンクの無線品質情報と、現在の下りリンクの無線品質情報と、以前の前記パケットの送信に使用可能な送信リソースと、現在の前記パケットの送信に使用可能な送信リソースとに基づいて、以前に前記パケットを送信した時の無線状態よりも、現在の無線状態の方が悪いと判断した場合に、前記パケットの送信に使用可能な送信リソースを最大限に使用するように前記送信方法を決定するように構成されていてもよい。
【００３４】
本発明の第１の特徴において、前記決定部が、以前の前記パケットの送信の際に前記送信方法として決定された変調方式が１６ＱＡＭである場合で、かつ、該変調方式がＱＰＳＫに変更されたときの符号化率が所定値よりも小さくなる場合に、前記パケットの送信に用いられる変調方式をＱＰＳＫに変更することによって、前記パケットの送信に使用可能な送信リソースを最大限に使用するように前記送信方法を決定するように構成されていてもよい。
【００３５】
本発明の第１の特徴において、前記決定部が、符号化率が１/３を下回らない範囲で前記パケットの送信に用いられるコードリソース量を大きくすることによって、前記パケットの送信に使用可能な送信リソースを最大限に使用するように前記送信方法を決定するように構成されていてもよい。
【００３６】
本発明の第１の特徴において、前記決定部が、前記移動局から報告された前記下りリンクの無線品質情報が、所定の無線品質情報の上限値よりも大きい場合、前記移動局から報告された前記下りリンクの無線品質情報を、前記所定の無線品質情報の上限値に変更することによって、前記送信方法を決定するように構成されていてもよい。
【００３７】
本発明の第１の特徴において、前記決定部が、前記パケットの送信に使用可能な送信リソースに含まれる電力リソースが残っている場合、前記パケットの送信に用いられる送信方法として決定された電力リソース量に該電力リソースを加えるように構成されていてもよい。
【００３８】
本発明の第１の特徴において、前記記憶部が、前記送信方法として、前記パケットの送信に用いられる電力リソース量のオフセット値を記憶しており、前記記憶部において、前記電力リソースのオフセット値のステップ幅が、１ｄＢ未満に設定されていてもよい。
【００３９】
本発明の第２の特徴は、複数の移動局に対する下りリンクのパケットの送信を制御するパケット送信制御方法であって、前記パケットの送信に使用可能な送信リソースと、前記下りリンクの無線品質情報と、前記パケットの送信に用いられる送信方法とを関連付けるテーブルを生成する工程と、前記移動局から報告された前記下りリンクの無線品質情報と、前記パケットの送信に使用可能な送信リソースとに基づいて、前記テーブルを参照して、前記パケットの送信に用いられる送信方法を決定する工程と、決定された前記送信方法を用いて前記パケットを送信する工程とを有することを要旨とする。
【発明の効果】
【００４０】
以上説明したように、本発明によれば、パケット誤り率の劣化を抑えつつ、送信リソースを効率良く使用することができるパケット送信制御装置及びパケット送信制御方法を提供することができる。
【００４１】
また、本発明によれば、Ｈ-ＡＲＱ制御における再送時の無線品質と初回送信時の無線品質との差や、送るべきパケットのデータ量に基づいて、下りリンクのパケットの送信に用いられる送信方法を決定することによって、送信リソースを効率よく使用してパケットの送信を行うことができるパケット送信制御装置及びパケット送信制御方法を提供することができる。
【発明を実施するための最良の形態】
【００４２】
（本発明の第１の実施形態に係る移動通信システムの構成）
図１乃至図６を参照して、本発明の第１の実施形態に係る移動通信システムの構成について説明する。図１は、本発明の第１の実施形態に係るパケット送信制御方法が適用される移動通信システムの構成例を示す図である。
【００４３】
図１に示すように、本実施形態に係る移動通信システムは、無線基地局１００と、複数の移動局（＃１〜＃３）１０〜１２とを具備している。また、本実施形態に係る移動通信システムでは、ＨＳＤＰＡ方式が適用されているものとする。
【００４４】
ＨＳＤＰＡ方式における下りリンクでは、移動局（＃１〜＃３）１０〜１２で共有して使用される下り方向の共有チャネルＨＳ-ＤＳＣＨや下り方向の共有制御チャネルＨＳ-ＳＣＣＨ（Ｓｈａｒｅｄ  Ｃｏｎｔｒｏｌ  Ｃｈａｎｎｅｌ）等の下り共有チャネルや、移動局（＃１〜＃３）１０〜１２に個別に割り当てられる物理チャネルに付随する付随個別チャネル＃１〜＃３（双方向チャネル）等が用いられる。なお、図１の例では、移動局＃２宛ての下り共有チャネルが実線で表現されているため、移動局＃２に下り共有チャネルが割り当てられているものとする。
【００４５】
上り方向の付随個別チャネル＃１〜＃３では、ユーザデータ以外に、パイロットシンボルや、下り方向の付随個別チャネルを送信するための電力制御コマンド（ＴＰＣコマンド）が伝送される。
【００４６】
一方、下り方向の付随個別チャネル＃１〜＃３では、上り方向の付随個別チャネルを送信するための送信電力制御コマンド等が伝送される。
【００４７】
また、上りリンクでは、付随個別チャネルだけでなく、ＨＳＤＰＡ用の個別物理制御チャネル（ＨＳ-ＤＰＣＣＨ）も用いられている。なお、ＨＳＤＰＡ用の個別物理制御チャネル（ＨＳ-ＤＰＣＣＨ）では、共有チャネルのスケジューリング処理やＡＭＣ方式で用いられる下り方向の無線品質情報（ＣＱＩ）や、Ｈ-ＡＲＱ（Ｈｙｂｒｉｄ-ＡＲＱ）制御における送達確認を報告するための送達確認情報（ＡＣＫ/ＮＡＣＫ）等が伝送される。
【００４８】
本実施形態では、各移動局（＃１〜＃３）１０〜１２は、同一の構成及び機能を持つ。また、本実施形態では、無線基地局が、複数の移動局の各々に対して、下りリンクのパケットの送信方法（送信フォーマット及び送信リソース）を決定する必要がある。したがって、以下、特段の断りがない限り、複数の移動局の中から任意に選択した移動局Ｎに関して説明を行うものとする。
【００４９】
図２は、本実施形態に係る無線基地局１００の構成例を示す機能ブロック図である。図２に示すように、本実施形態に係る無線基地局１００は、送受信アンテナ１０１と、アンプ部１０２と、送受信部１０３と、ベースバンド信号処理部１０４と、呼処理部１０５と、伝送路インターフェース１０６とを具備している。
【００５０】
送受信アンテナ１０１は、複数の移動局（＃１〜＃３）１０〜１２の送受信アンテナとの間で無線周波数信号の送受信を行う。
【００５１】
アンプ部１０２は、送受信アンテナ１０１によって受信された上り方向の無線周波数信号を増幅して送受信部１０３に出力する。また、アンプ部１０２は、送受信部１０３から出力された下り方向の無線周波数信号を増幅して送受信アンテナ１０１に出力する。
【００５２】
送受信部１０３は、ベースバンド信号処理部１０４から出力されたベースバンド信号に対して、無線周波数信号に変換する周波数変換処理を施してアンプ部１０２に出力する。また、送受信部１０３は、アンプ部１０２から出力された無線周波数信号に対して、ベースバンド信号に変換する周波数変換処理を施してベースバンド信号処理部１０４に出力する。
【００５３】
ベースバンド信号処理部１０４は、伝送路インターフェース１０６から出力された下りリンクのパケットに対して、再送制御（Ｈ-ＡＲＱ制御）処理やスケジューリング処理や送信方法決定処理やチャネル符号化処理や拡散処理等を施すことによってベースバンド信号を生成して送受信部１０３に出力する。
【００５４】
また、ベースバンド信号処理部１０４は、送受信部１０３から出力されたベースバンド信号に対して、逆拡散処理やＲＡＫＥ合成処理や誤り訂正復号化処理等を施して伝送路インターフェース１０６に出力する。
【００５５】
ここで、ベースバンド信号には、後述するＭＡＣ-ｈｓ（Ｍｅｄｉａ  Ａｃｃｅｓｓ  Ｃｏｎｔｒｏｌ-ＨＳＤＰＡ）処理で使用される各移動局の無線品質情報（ＣＱＩ）やＨ-ＡＲＱ処理における送達確認情報（ＡＣＫ/ＮＡＣＫ/ＤＴＸ）等が含まれている。かかる情報は、後述するように、ベースバンド処理部１０４内のレイヤ−１処理部１１１で復号化処理が施され、ベースバンド処理部１０４内のＭＡＣ-ｈｓ処理部１１２において使用される。
【００５６】
呼処理部１０５は、伝送路インターフェース１０６を介して、無線基地局１００の上位に位置する無線制御装置との間で、呼処理制御信号の送受信を行うことによって、無線基地局１００の状態管理やリソース割り当てを行う。伝送路インターフェース１０６は、無線制御装置との間で情報を送受信する。
【００５７】
図３を参照して、上述のベースバンド信号処理部１０４の構成について詳述する。図３に示すように、ベースバンド信号処理部１０４は、レイヤー１処理部１１１と、ＭＡＣ-ｈｓ処理部１１２とを具備している。なお、レイヤー１処理部１１１及びＭＡＣ-ｈｓ処理部１１２は、それぞれ呼処理部１０５に接続されている。
【００５８】
レイヤー１処理部１１１は、下り方向のチャネル符号化処理や、上り方向のチャネル復号化処理や、上り方向及び下り方向の個別チャネルの送信電力制御処理や、ＲＡＫＥ合成処理や、拡散・逆拡散処理を行うように構成されている。
【００５９】
また、レイヤー１処理部１１１は、各移動局からの上り方向の個別物理制御チャネル（ＨＳ-ＤＰＣＣＨ）を用いて報告される下りリンクの無線状態を示す情報（無線品質情報、ＣＱＩ）やＨ-ＡＲＱ制御における送達確認情報（ＡＣＫ/ＮＡＣＫ/ＤＴＸ）を受け取り、ＭＡＣ-ｈｓ処理部１１２に出力するように構成されている。
【００６０】
ＭＡＣ-ｈｓ処理部１１２は、ＨＳＤＰＡ方式における下り方向の共有チャネルにおけるＨ-ＡＲＱ制御処理や、送信待ちパケットに対するスケジューリング処理や、下りパケットの送信に用いられる送信方法（送信フォーマット及び送信リソース）の決定処理を施すように構成されている。
【００６１】
図４を参照して、上述のＭＡＣ-ｈｓ処理部１１２の構成について詳述する。図４に示すように、ＭＡＣ-ｈｓ処理部１１２は、ＣＱＩ取得部１１０と、ＡＣＫ/ＮＡＣＫ/ＤＴＸ取得部１２０と、スケジューリング部１３０と、ＴＦＲ（Ｔｒａｎｓｐｏｒｔ  Ｆｏｒｍａｔ  Ｒｅｓｏｕｒｃｅ）選択部１４０と、ＭＡＣ-ｈｓリソース計算部１５０と、Ｈ-ＡＲＱ制御部１６０と、送信フォーマット参照テーブル保持部１７０とを具備している。
【００６２】
なお、ＭＡＣ-ｈｓ処理部１１２は、上述の機能以外にも、フローコントロールを制御する機能等の諸機能を具備するが、本発明には直接には関係しないため、かかる諸機能についての記載及び説明については省略する。
【００６３】
ＣＱＩ取得部１１０は、レイヤー１処理部１１１によって復号化処理された下りリンクの無線品質情報（ＣＱＩ）を取得し、スケジューリング部１３０及びＴＦＲ選択部１４０に出力するように構成されている。 
ＡＣＫ/ＮＡＣＫ/ＤＴＸ取得部１２０は、レイヤー１処理部１１１によって復号化処理されたＨ-ＡＲＱ制御における送達確認情報（ＡＣＫ/ＮＡＣＫ/ＤＴＸ）を取得し、Ｈ-ＡＲＱ制御部１６０に出力するように構成されている。
【００６４】
スケジューリング部１３０は、任意のスケジューリングアルゴリズムを用いて、各ＴＴＩ（Ｔｒａｎｓｍｉｓｓｉｏｎ  Ｔｉｍｅ  Ｉｎｔｅｒｖａｌ）において、ＨＳ-ＤＳＣＨを割り当てる移動局（下りリンクのパケットを送信する移動局）を決定し、かかる移動局を識別するための移動局ＩＤをＴＦＲ選択部１４０に通知するように構成されている。
【００６５】
ここで、スケジューリング部１３０は、当該ＴＴＩにおいて複数の移動局に下りリンクのパケットを送信するようにスケジューリングした場合には、優先度情報を付加した複数の移動局ＩＤをＴＦＲ選択部１４０に通知する。
【００６６】
ＴＦＲ選択部１４０は、各移動局から報告されたＣＱＩ（下りリンクの無線品質情報）をＣＱＩ取得部１１０から受け取り、Ｈ-ＡＲＱ制御部１６０から再送情報を受け取り、ＭＡＣ-ｈｓリソース計算部１５０から無線リソース情報を受け取るように構成されている。ここで、再送情報は、当該ＴＴＩにおいて送信すべきパケットが、Ｈ-ＡＲＱ制御における初回送信であるか又は再送であるかについて示す情報である。また、無線リソース情報は、当該ＴＴＩにおいてパケットの送信に使用可能な送信リソース（コードリソース量及び電力リソース量）を示す情報である。
【００６７】
また、ＴＦＲ選択部１４０は、送信フォーマット参照テーブル保持部１７０と接続されており、受け取ったＣＱＩ及び無線リソース情報に基づいて、送信フォーマット参照テーブル保持部１７０に保持されている送信フォーマット参照テーブルを参照して、パケット(ＨＳ-ＤＳＣＨ)の送信に用いられる送信方法（送信フォーマット及び送信リソース）を決定するように構成されている。
【００６８】
ここで、ＴＦＲ選択部１４０は、送信方法として、パケットの送信に用いられるトランスポートブロックサイズや、パケットの送信に用いられる変調方式や、パケットの送信に用いられるコードリソース量や、パケットの送信に用いられる電力リソース量等について決定する。
【００６９】
また、ＴＦＲ選択部１４０が送信方法（送信フォーマット及び送信リソース）を決定する処理の詳細については、後述する。
【００７０】
ＭＡＣ-ｈｓリソース計算部１５０は、ＨＳ-ＤＳＣＨ電力リソース計算部１５１と、ＨＳ-ＤＳＣＨコードリソース計算部１５２とを具備している。ＭＡＣ-ｈｓリソース計算部１５０は、ＨＳ-ＤＳＣＨ電力リソース計算部１５１及びＨＳ-ＤＳＣＨコードリソース計算部１５２等を用いて、パケット（ＨＳ-ＤＳＣＨ）の送信に使用可能な送信リソース（例えば、電力リソースやコードリソース等の無線リソース）を計算して、当該ＴＴＩにおいてパケットの送信に使用可能な送信リソース（例えば、電力リソースやコードリソース等の無線リソース）をＴＦＲ選択部１４０に通知する。
【００７１】
ここで、当該ＴＴＩにおいて複数の移動局に対して下りリンクのパケットの送信が行われる場合には、ＴＦＲ選択部１４０が優先度の高い移動局から順番に、送信フォーマット及び送信リソースの決定を行うため、ＭＡＣ-ｈｓリソース計算部１５０は、ＴＦＲ選択部１４０が送信フォーマット及び送信リソースの決定する際に、それぞれの移動局が使用可能な電力リソース及びコードリソースをＴＦＲ選択部１４０に通知する。
【００７２】
具体的には、ＭＡＣ-ｈｓリソース計算部１５０は、最も優先度の高い移動局に対しては、当該ＴＴＩにおいて使用可能な全ての電力リソース量及びコードリソース量をＴＦＲ選択部１４０に通知する。
【００７３】
また、ＭＡＣ-ｈｓリソース計算部１５０は、２番目に優先度の高い移動局に対しては、当該ＴＴＩにおいて使用可能な全ての電力リソース量及びコードリソース量から、最も優先度の高い移動局において使用される電力リソース量及びコードリソース量をそれぞれ引いた値を、２番目に優先度の高い移動局において使用可能な電力リソース量及びコードリソース量として、ＴＦＲ選択部１４０に通知する。
【００７４】
また、ＭＡＣ-ｈｓリソース計算部１５０は、優先度の高さが３番目以降の移動局に対しても、２番目に優先度が高い移動局の場合と同様に、当該ＴＴＩにおいて使用可能な電力リソース量及びコードリソース量から、当該移動局よりも優先度の高い移動局において使用される電力リソース量及びコードリソース量をそれぞれ引いた値を、当該移動局において使用可能な電力リソース量及びコードリソース量としてＴＦＲ選択部１４０に通知する。
【００７５】
Ｈ-ＡＲＱ制御部１６０は、各移動局のもつ各データキューに関して、上り方向の送達確認情報（ＡＣＫ/ＮＡＣＫ/ＤＴＸ）のフィードバックに基づいたＨ-ＡＲＱ再送制御を行うように構成されている。
【００７６】
図５に、Ｈ-ＡＲＱ制御部１６０で行われるストップアンドウェイトプロトコルの動作例を示す。ストップアンドウェイトプロトコル（ＡＲＱ）では、受信側（移動局側）は、送信側（無線基地局側）からの下りリンクのパケットを受け取ると、送達確認情報（ＡＣＫ/ＮＡＣＫ/ＤＴＸ）を、ＨＳ-ＤＰＣＣＨを用いて返送するように構成されている。
【００７７】
図５の例では、受信側は、パケット＃１を正しく受け取ることができなかったので、否定応答（ＮＡＣＫ）を送信側に返送している。また、受信側は、パケット＃２を正しく受け取ることができたので、肯定応答（ＡＣＫ）を送信側に返送している。以下、受信側では、受け取ったパケットの順に、肯定応答（ＡＣＫ）又は否定応答（ＮＡＣＫ）を送信側に返送する動作を繰り返す。
【００７８】
また、Ｈ-ＡＲＱ制御部１６０は、ＴＦＲ選択部１４０に、当該ＴＴＩにおいて送信するパケットが、Ｈ-ＡＲＱ制御における初回送信であるか又は再送であるか（２回目以降の送信であるか）を示す情報（再送情報）を通知する。
【００７９】
送信フォーマット参照テーブル保持部１７０は、パケットの送信に使用可能な送信リソースと、下りリンクの無線品質情報（ＣＱＩ）と、パケットの送信に用いられる送信方法（送信フォーマット及び送信リソース）とを関連付ける送信フォーマット参照テーブルを保持している。
【００８０】
具体的には、送信フォーマット参照テーブルは、当該ＴＴＩにおいてパケットの送信に使用可能なコードリソース量毎に、下りリンクの無線品質情報（ＣＱＩ）と、当該パケットの送信に用いられるトランスポートブロックサイズと、当該パケットの送信に用いられるコードリソース量と、当該パケットの送信に用いられる変調方式と、当該パケットの送信に用いられる電力リソースの電力オフセットとの関係を示すテーブルである。
【００８１】
図６に、かかる送信フォーマット参照テーブルの一例を示す。
【００８２】
図６（ａ）に、当該ＴＴＩにおいてパケットの送信に使用可能なコードリソース量が「４」の場合の、下りリンクの無線品質情報（ＣＱＩ）と、当該パケットの送信に用いられるトランスポートブロックサイズと、当該パケットの送信に用いられるコードリソース量と、当該パケットの送信に用いられる変調方式と、当該パケットの送信に用いられる電力リソースの電力オフセットとを関連付けるテーブルを示す。
【００８３】
また、図６（ｂ）に、当該ＴＴＩにおいてパケットの送信に使用可能なコードリソース量が「５」の場合の、下りリンクの無線品質情報（ＣＱＩ）と、当該パケットの送信に用いられるトランスポートブロックサイズと、当該パケットの送信に用いられるコードリソース量と、当該パケットの送信に用いられる変調方式と、当該パケットの送信に用いられる電力リソースの電力オフセットとを関連付けるテーブルを示す。
【００８４】
実際には、ＨＳ-ＰＤＳＣＨの取り得るコード数が「１〜１５」であるため、送信フォーマット参照テーブル保持部１７０は、１５通りの使用可能なコードリソース量毎のテーブルを保持する。
【００８５】
送信フォーマット参照テーブル保持部１７０は、引数が「当該ＴＴＩにおいて使用可能なコードリソース量」及び「ＣＱＩ」である場合、関数ＴＦ_Ｒｅｌａｔｅｄ_ＴＢＳ(コードリソース量，ＣＱＩ)を通じて、当該ＴＴＩにおけるパケットの送信に用いられるトランスポートブロックサイズをＴＦＲ選択部１４０に出力することができる。
【００８６】
あるいは、送信フォーマット参照テーブル保持部１７０は、引数が「当該ＴＴＩにおいて使用可能なコードリソース量」及び「ＣＱＩ」である場合、関数ＴＦ_Ｒｅｌａｔｅｄ_Ｃｏｄｅ(コードリソース量，ＣＱＩ)を通じて、当該ＴＴＩにおけるパケットの送信に用いられるコードリソース量をＴＦＲ選択部１４０に出力することができる。
【００８７】
あるいは、送信フォーマット参照テーブル保持部１７０は、引数が「当該ＴＴＩにおいて使用可能なコードリソース量」及び「ＣＱＩ」である場合、関数ＴＦ_Ｒｅｌａｔｅｄ_Ｍｏｄ(コードリソース量，ＣＱＩ)を通じて、当該ＴＴＩにおけるパケットの送信に用いられる変調方式をＴＦＲ選択部１４０に出力することができる。
【００８８】
あるいは、送信フォーマット参照テーブル保持部１７０は、引数が「当該ＴＴＩにおいて使用可能なコードリソース量」及び「ＣＱＩ」である場合、関数ＴＦ_Ｒｅｌａｔｅｄ_Ｏｆｆｓｅｔ(コードリソース量，ＣＱＩ)を通じて、当該ＴＴＩにおけるパケットの送信に用いられる電力リソース量のオフセット値をＴＦＲ選択部１４０に出力することができる。
【００８９】
あるいは、送信フォーマット参照テーブル保持部１７０は、引数が「当該ＴＴＩにおいて使用可能なコードリソース量」及び「当該ＴＴＩにおいて用いられるトランスポートブロックサイズ」である場合、関数ＴＦ_Ｒｅｌａｔｅｄ_ＣＱＩ(コードリソース量，トランスポートブロックサイズ)を通じて、当該ＴＴＩにおけるパケットの送信に用いられる送信方法に相当するＣＱＩをＴＦＲ選択部１４０に出力することができる。
【００９０】
ここで、「当該ＴＴＩにおけるパケットの送信に用いられる送信方法に相当するＣＱＩ」とは、「当該ＴＴＩにおけるパケットの送信に用いられるトランスポートブロックサイズを送信可能な最小のＣＱＩ」のことである。
【００９１】
ここで、パケットの送信に使用可能なコードリソース量毎の送信フォーマット参照テーブルにおけるＣＱＩは、パケットの送信に用いられるトランスポートブロックサイズや、パケットの送信に用いられるコードリソース量や、パケットの送信に用いられる変調方式や、パケットの送信に用いられる電力リソース量のオフセット値に基づいて決定される送信方法で送信した場合に必要となるＳＩＲに相当する値である。
【００９２】
しかしながら、特定のＣＱＩに対する上述のトランスポートブロックサイズとコードリソース量と変調方式と電力リソース量のオフセット値との組み合わせは複数存在するため、これらの組み合わせの中で、トランスポートブロックサイズが最大となる組み合わせが、送信フォーマット参照テーブルに設定されている。
【００９３】
すなわち、ＣＱＩ（下りリンクの無線品質情報）及びパケットの送信に使用可能なコードリソースが固定されている場合に、トランスポートブロックサイズは、所定のパケット誤り率を満たし、かつ、最大値となるように設定されている。
【００９４】
以下に、送信フォーマット参照テーブルの具体的な参照方法を詳述する。
【００９５】
例えば、当該ＴＴＩにおいて使用可能なコードリソース量が「４」で、ＣＱＩが「１５」である場合、送信フォーマット参照テーブル保持部１７０は、図６（ａ）を参照して、関数ＴＦ_Ｒｅｌａｔｅｄ_ＴＢＳ(コードリソース量，ＣＱＩ)を通じて、「トランスポートブロックサイズＴＢＳ＝２８７６」を出力する。
【００９６】
また、当該ＴＴＩにおいて使用可能なコードリソース量が「５」で、ＣＱＩが「１０」である場合、送信フォーマット参照テーブル保持部１７０は、図６（ｂ）を参照して、関数ＴＦ_Ｒｅｌａｔｅｄ_Ｃｏｄｅ(コードリソース量，ＣＱＩ)を通じて、「パケットの送信に用いられるコードリソース量＝４」を出力する。
【００９７】
また、当該ＴＴＩにおいて使用可能なコードリソース量が「４」で、ＣＱＩが「２０」である場合、送信フォーマット参照テーブル保持部１７０は、図６（ａ）を参照して、関数ＴＦ_Ｒｅｌａｔｅｄ_Ｍｏｄ(コードリソース量，ＣＱＩ)を通じて、「パケットの送信に用いられる変調方式＝１６ＱＡＭ」を出力する。
【００９８】
さらに、当該ＴＴＩにおいて使用可能なコードリソース量が「５」で、ＣＱＩが「２８」である場合、送信フォーマット参照テーブル保持部１７０は、図６（ｂ）を参照して、関数ＴＦ_Ｒｅｌａｔｅｄ_Ｏｆｆｓｅｔ(コードリソース量，ＣＱＩ)を通じて、「パケットの送信に用いられる電力リソース量のオフセット値＝−６」を出力する。
【００９９】
また、当該ＴＴＩにおいて使用可能なコードリソース量が「４」で、トランスポートブロックサイズが「４２６５」である場合、送信フォーマット参照テーブル保持部１７０は、図６（ａ）を参照して、関数ＴＦ_Ｒｅｌａｔｅｄ_ＣＱＩ(コードリソース量，トランスポートブロックサイズ)を通じて、「パケットの送信に用いられる送信方法に相当するＣＱＩ＝１８」を出力する。
【０１００】
また、トランスポートブロックサイズが「４５８１」である場合、送信フォーマット参照テーブル保持部１７０は、図６（ａ）を参照して、関数ＴＦ_Ｒｅｌａｔｅｄ_ＣＱＩ（コードリソース量,トランスポートブロックサイズ）を通じて、「ＣＱＩ＝１９」が「トランスポートブロックを送信可能な最小のＣＱＩ」であると判断し、「パケットの送信に用いられる送信方法に相当するＣＱＩ＝１９」を出力する。
【０１０１】
なお、図６に示した送信フォーマット参照テーブルは、変調方式としてＱＰＳＫ及び１６ＱＡＭが混在するテーブルであるが、送信フォーマット参照テーブル保持部１７０は、能力的にＱＰＳＫのみに対応可能な移動局をサポートするために、ＱＰＳＫのみで構成された送信フォーマット参照テーブルを保持するように構成されていてもよい。
【０１０２】
なお、送信フォーマット参照テーブルにおいて、下りリンクの無線品質情報（ＣＱＩ）及びパケットの送信に使用可能なコードリソースが固定されている場合に、トランスポートブロックサイズは、所定のパケット誤り率を満たし、かつ、最大値となるように設定されている。
【０１０３】
なお、ＴＦＲ選択部１４０は、後述するように、送信すべきパケットのデータ量が、前記送信方法として決定されたトランスポートブロックサイズ（ＴＢＳ０）より少ない場合に、該送信方法として決定された電力リソース量（Ｐｏｗｅｒ０）を低減するように構成されていてもよい（図９のステップＳ３１参照）。
【０１０４】
また、ＴＦＲ選択部１４０は、後述するように、「（低減する電力リソース量Ｐｏｗｅｒ１）＝｛（送信方法として決定されたトランスポートブロックサイズに相当する無線品質情報ＣＱＩ０）−（送信すべきパケットのデータ量に相当する無線品質情報ＣＱＩ１）｝×（任意の係数α）」に従って、低減する電力リソース量（Ｐｏｗｅｒ１）を決定するように構成されていてもよい（図９のステップＳ３１参照）。
【０１０５】
また、ＴＦＲ選択部１４０は、後述するように、電力リソース量を低減した場合で、かつ、前記パケットの送信に用いられる電力リソース量（Ｐｏｗｅｒ１）が所定の下限値（ＰｏｗｅｒＭＩＮ）よりも小さい場合に、該所定の下限値（ＰｏｗｅｒＭＩＮ）を前記パケットの送信に用いられる電力リソース（Ｐｏｗｅｒ１）として決定するように構成されていてもよい（図９のステップＳ３２参照）。
【０１０６】
また、ＴＦＲ選択部１４０は、後述するように、前記送信方法として決定されたトランスポートブロックサイズ（ＴＢＳ０）が、最小データ送信単位（ＴＢＳＭＩＮ）よりも小さい場合、当該移動局に対して下りリンクのパケットを送信することを中止し、他の移動局に対して下りリンクのパケットを送信するように構成されていてもよい（図９のステップＳ２７参照）。
【０１０７】
また、ＴＦＲ選択部１４０は、後述するように、前記送信方法として決定されたトランスポートブロックサイズ（ＴＢＳ０）が、送信すべきデータ量の最小単位よりも小さい場合、最小データ送信単位（ＴＢＳＭＩＮ）で前記パケットを送信することができるように前記送信方法を決定するように構成されていてもよい。
【０１０８】
また、ＴＦＲ選択部１４０は、後述するように、１つの送信タイミングにおいて、パケットの送信に使用可能な送信リソースが、複数の移動局に対して均等に割り当てられるように、送信方法を決定するように構成されていてもよい。
【０１０９】
また、ＴＦＲ選択部１４０は、後述するように、パケットの送信を行う移動局の送信方法を決定する際に、当該移動局の他にパケットを送信する移動局の数をＮとし、下りリンクの無線品質情報を「下りリンクの無線品質情報−１０×ｌｏｇ１０Ｎ」と変更し、送信方法として決定された電力リソース量を「１０×ｌｏｇ１０Ｎ」に相当する量だけ低減することによって、送信方法を決定するように構成されていてもよい。
【０１１０】
また、ＴＦＲ選択部１４０は、後述するように、以前に送信したパケットを再送する場合に、以前の下りリンクの無線品質情報と、現在の下りリンクの無線品質情報と、以前のパケットの送信に使用可能な送信リソースと、現在のパケットの送信に使用可能な送信リソースとに基づいて、以前にパケットを送信した時の無線状態よりも、現在の無線状態の方が良いと判断した場合に、送信方法として決定された電力リソース量を低減するように構成されていてもよい。
【０１１１】
また、ＴＦＲ選択部１４０は、後述するように、「（低減する電力リソース量）＝｛（現在の下りリンクの無線品質情報）−（以前の下りリンクの無線品質情報）｝×（任意の係数）＋｛（現在のパケットの送信に使用可能な電力リソース）−（以前のパケットの送信に使用可能な電力リソース）｝×（任意の係数）」に従って、低減する前記電力リソース量を決定するように構成されていてもよい。
【０１１２】
また、ＴＦＲ選択部１４０は、後述するように、電力リソース量を低減した場合で、かつ、パケットの送信に用いられる電力リソース量が所定の下限値よりも小さい場合に、当該所定の下限値をパケットの送信に用いられる電力リソース量として決定するように構成されていてもよい。
【０１１３】
また、ＴＦＲ選択部１４０は、後述するように、以前に送信したパケットを再送する場合に、以前の下りリンクの無線品質情報と、現在の下りリンクの無線品質情報と、以前のパケットの送信に使用可能な送信リソースと、現在のパケットの送信に使用可能な送信リソースとに基づいて、以前にパケットを送信した時の無線状態よりも、現在の無線状態の方が悪いと判断した場合に、パケットの送信に使用可能な送信リソースを最大限に使用するように、上述の送信方法を決定してもよい。
【０１１４】
また、ＴＦＲ選択部１４０は、後述するように、以前のパケットの送信の際に送信方法として決定された変調方式が１６ＱＡＭである場合で、かつ、当該変調方式がＱＰＳＫに変更されたときの符号化率が所定値よりも小さくなる場合に、パケットの送信に用いられる変調方式をＱＰＳＫに変更することによって、パケットの送信に使用可能な送信リソースを最大限に使用するように、上述の送信方法を決定してもよい。
【０１１５】
また、ＴＦＲ選択部１４０は、後述するように、符号化率が１/３を下回らない範囲でパケットの送信に用いられるコードリソース量を大きくすることによって、パケットの送信に使用可能な送信リソースを最大限に使用するように、上述の送信方法を決定してもよい。
【０１１６】
また、ＴＦＲ選択部１４０は、後述するように、移動局から報告された下りリンクの無線品質情報が、所定の無線品質情報の上限値よりも大きい場合、当該移動局から報告された下りリンクの無線品質情報を、所定の無線品質情報の上限値に変更することによって、上述の送信方法を決定してもよい。
【０１１７】
この結果、当該ＴＴＩにおいて、下りリンクのパケットは、ＴＦＲ選択部１４０によって決定された送信方法を用いて、所定の移動局に対して送信される。
【０１１８】
（本発明の第１の実施形態に係る移動通信システムの動作）
図７及び図８を参照して、本実施形態に係る移動通信システムにおいて、ＭＡＣ-ｈｓ処理部１１２が、当該ＴＴＩにおいてパケットの送信に用いられる送信方法（送信フォーマット及び送信リソース）決定する動作について説明する。
【０１１９】
本実施形態では、スケジューリング部１３０で決定された移動局（以後、当該移動局と呼ぶ）に対する下りリンクのパケットの送信に用いられる送信方法（送信フォーマット及び送信リソース）を決定する動作について説明する。また、本実施形態では、当該ＴＴＩにおいて、複数の移動局に対して下りリンクのパケットを送信する場合に、優先度の高い移動局から順に、本動作を適用するものとする。
【０１２０】
ここで、ＴＦＲ選択部１４０で決定された送信方法（送信フォーマット及び送信リソース）のうち、トランスポートブロックサイズを「ＴＢＳ１」とし、コードリソース量を「Ｃｏｄｅ１」とし、変調方式を「Ｍｏｄ１」とし、電力リソース量を「Ｐｏｗｅｒ１」とし、及び、決定された送信方法（送信フォーマット及び送信リソース）に相当するＣＱＩを「ＣＱＩ１」とする。
【０１２１】
また、本実施形態では、ＣＱＩ及び電力リソース量は、「ｄＢ」の領域で計算されるものとする。
【０１２２】
図７に示すように、ステップＳ１において、ＴＦＲ選択部１４０は、各移動局から報告されたＣＱＩをＣＱＩ取得部１１０から取得すると共に、当該ＴＴＩにおいて使用可能なコードリソース量及び電力リソース量をＭＡＣ-ｈｓリソース計算部１５０から取得する。ここで、ＴＦＲ選択部１４０は、取得したＣＱＩを「ＣＱＩ０」とし、取得したコードリソース量を「Ｃｏｄｅ０」とし、取得した電力リソース量を「Ｐｏｗｅｒ０」とする。
【０１２３】
ステップＳ２において、「Ｃｏｄｅ０」が、当該移動局が受信可能なコードリソース量よりも大きい場合には、本動作はステップＳ３に進み、それ以外の場合には、本動作はステップＳ４に進む。
【０１２４】
ステップＳ３において、ＴＦＲ選択部１４０は、当該移動局が受信可能なコードリソース量を「Ｃｏｄｅ０」とする。
【０１２５】
ステップＳ４において、「ＣＱＩ０」が、ＣＱＩの上限値である「ＣＱＩＭＡＸ」よりも大きい場合には、本動作はステップＳ５に進み、それ以外の場合には、本動作はステップＳ６に進む。
【０１２６】
ステップＳ５において、ＴＦＲ選択部１４０は、「ＣＱＩＭＡＸ」を「ＣＱＩ０」とする。
【０１２７】
なお、ＣＱＩは、定義上「１〜３０」の範囲の値で報告されるが、移動局の能力によっては、例えば、「１〜２５」までの値については精度の高いＣＱＩを報告できるが、「２６〜３０」の値については精度の低いＣＱＩしか報告できないという場合が存在する。
【０１２８】
このとき、「２６〜３０」の値のＣＱＩが報告された場合に、ＴＦＲ選択部１４０は、精度の低いＣＱＩを用いて送信方法（送信フォーマット及び送信リソース）を決定し、結果として、パケット誤り率が増加してしまうという問題が存在する。したがって、ＣＱＩの上限値「ＣＱＩＭＡＸ」を「２５」と設定することにより、ＴＦＲ選択部１４０が、精度の低いＣＱＩを用いて送信方法（送信フォーマット及び送信リソース）を決定することを回避することが可能となる。
【０１２９】
ＣＱＩは、移動局において、下り方向の共有チャネルの全送信電力を「ＰｏｗｅｒＤｅｆａｕｌｔ」と仮定して算出されているため、ステップＳ６において、ＴＦＲ選択部１４０は、「ＣＱＩ０」を、「Ｐｏｗｅｒ０」に基づく値に読み替える。具体的には、ＴＦＲ選択部１４０は、「ＣＱＩ０＋Ｐｏｗｅｒ０−ＰｏｗｅｒＤｅｆａｕｌｔ」によって算出される値を「ＣＱＩ０」とする。
【０１３０】
ステップＳ７において、ＴＦＲ選択部１４０は、Ｈ-ＡＲＱ制御部１６０から送信された再送情報に基づいて、送信するパケットが、Ｈ-ＡＲＱ制御における初回送信であるか否かについて判断する。Ｈ-ＡＲＱ制御における初回送信である場合には、本動作はステップ２１（図９参照）に進み、それ以外の場合（すなわち、再送である場合）には、本動作はステップＳ８（図８参照）に進む。
【０１３１】
図８に示すように、Ｈ-ＡＲＱ制御における再送時には、ステップＳ８において、ＴＦＲ選択部１４０は、再送するパケットの初回送信時のトランスポートブロックサイズ「ＴＢＳ２」とＣＱＩ「ＣＱＩ２」とコードリソース量「Ｃｏｄｅ２」と変調方式「Ｍｏｄ２」とを取得する。ここで、「ＴＢＳ２」と「ＣＱＩ２」と「Ｃｏｄｅ２」と「Ｍｏｄ２」は、それぞれ、初回送信時の「ＴＢＳ１」と「ＣＱＩ１」と「Ｃｏｄｅ１」と「Ｍｏｄ１」に相当する。
【０１３２】
再送時のトランスポートブロックサイズは、初回送信時のトランスポートブロックサイズと同一であるため、ステップＳ９において、ＴＦＲ選択部１４０は、再送するパケットのトランスポートブロックサイズ「ＴＢＳ１」を「ＴＢＳ２」とする。
【０１３３】
ステップＳ１０において、「ＣＱＩ０＞ＣＱＩ１かつＣｏｄｅ０≧Ｃｏｄｅ１」が成立する場合には、本動作はステップＳ１１に進み、それ以外の場合には、本動作はステップＳ１１に進む。
【０１３４】
ここで、「ＣＱＩ０」は、当該ＴＴＩにおいてパケットの送信に使用可能な電力リソースを考慮したＣＱＩであり、「ＣＱＩ１」は、初回送信時においてパケットの送信に使用可能な電力リソースを考慮したＣＱＩであるため、「ＣＱＩ０＞ＣＱＩ１」は、電力リソースの観点から、初回送信時における無線品質よりも当該ＴＴＩにおける無線品質の方が良くなっていることを示す。また、同様に、「Ｃｏｄｅ０≧Ｃｏｄｅ１」は、コードリソースの観点から、初回送信時における無線品質よりも当該ＴＴＩにおける無線品質の方が良くなっていることを示す。
【０１３５】
ステップＳ１１において、ＴＦＲ選択部１４０は、パケットの送信に用いられる電力リソース量を、初回送信時から当該ＴＴＩにかけて無線品質が良くなった分だけ低減する。具体的には、ＴＦＲ選択部１４０は、パケットの送信に用いられる電力リソース量「Ｐｏｗｅｒ１」を、「Ｐｏｗｅｒ１＝Ｐｏｗｅｒ０＋(ＣＱＩ２−ＣＱＩ０)×α」によって算出する。ここで、αは、所定の定数である。また、定義上、ＣＱＩの単位は、電力リソース量の単位と同じ「ｄＢ」であるため、αを「１」とする。
【０１３６】
かかる処理によって、無線品質が良くなった分だけ、パケットの送信に用いられる電力リソース量が低減するため、効率よく電力リソースを使用してパケットの送信を行うことが可能となると共に、他のセルへの干渉量を低減することも可能となる。
【０１３７】
ステップＳ１２において、「Ｐｏｗｅｒ１」が、所定の電力リソース量の下限値「ＰｏｗｅｒＭＩＮ」よりも小さい場合には、本動作はステップＳ１３に進み、それ以外の場合には、本動作はステップＳ１４に進む。
【０１３８】
ステップＳ１３において、ＴＦＲ選択部１４０は、「ＰｏｗｅｒＭＩＮ」の値を「Ｐｏｗｅｒ１」に設定する。
【０１３９】
パケットの送信に用いられる電力リソース量が、「ＰｏｗｅｒＤｅｆａｕｌｔ」と比較して過度に小さい値の場合に、ＣＱＩと電力リソース量との間の線形性が崩れ、パケット誤り率が激しく劣化する場合が存在する。
【０１４０】
例えば、ステップＳ１１において、「ＣＱＩ２＝２」で、かつ、「ＣＱＩ０＝２２」で、かつ、「Ｐｏｗｅｒ０＝ＰｏｗｅｒＤｅｆａｕｌｔ＝４０ｄＢｍ」で、かつ、「α＝１」であった場合に、「Ｐｏｗｅｒ１＝２０ｄＢｍ」となるが、「Ｐｏｗｅｒ１」の値が過度に小さすぎるために、パケット誤り率が劣化する場合がある。
【０１４１】
したがって、パケットの送信に用いられる電力リソース量の所定の下限値「ＰｏｗｅｒＭＩＮ」を設定し、パケットの送信に用いられる電力リソース量が「ＰｏｗｅｒＭＩＮ」よりも小さくならないようにすることにより、パケット誤り率の劣化を防ぐことが可能となる。
【０１４２】
例えば、「ＰｏｗｅｒＭＩＮ＝２５ｄＢｍ」と設定することにより、「ＣＱＩ２」に相当する送信方法で、電力リソース量を「２０ｄＢｍ」ではなく「２５ｄＢｍ」で送信を行うことが可能となり、パケット誤り率の劣化を防ぐことが可能となる。
【０１４３】
ステップＳ１４において、ＴＦＲ選択部１４０は、パケットの送信に用いられるコードリソース量「Ｃｏｄｅ１」及び変調方式「Ｍｏｄ１」を、初回送信時のコードリソース量「Ｃｏｄｅ２」及び変調方式「Ｍｏｄ２」と同一にする。
【０１４４】
ステップＳ１５において、初回送信時の変調方式「Ｍｏｄ２」が「ＱＰＳＫ」である場合には、本動作はステップＳ１７に進み、それ以外の場合（すなわち、初回送信時の変調方式「Ｍｏｄ２」が「１６ＱＡＭ」である場合）には、本動作はステップＳ１６に進む。
【０１４５】
ステップＳ１６において、変調方式を「ＱＰＳＫ」に変更して、コードリソース量を最大限に使用した場合に、送信するパケットの符号化率が所定の符号化率の上限値「ＣＲＭＡＸ」よりも小さい場合には、本動作はステップＳ１８に進み、それ以外の場合には、本動作はステップＳ１７に進む。
【０１４６】
ここで、符号化率とは、送信するパケットのビット数（ＣＲＣの２４ビットを含む）と、送信するパケットの物理チャネルにおけるビット数の比のことを指す。変調方式が「ＱＰＳＫ」である場合で、「ＳＦ＝１６」で「ＴＴＩ＝３スロット」である場合に、「送信するパケットの物理チャネルにおけるビット数」は、「２５６０[ｃｈｉｐｓ/ｓｌｏｔ]×３[ｓｌｏｔｓ]／１６[ｃｈｉｐｓ/ｓｙｍｂｏｌ]×２ [ｂｉｔｓ/ｓｙｍｂｏｌ]×(コードリソース量)＝９６０×「Ｃｏｄｅ０」となる。
【０１４７】
ステップＳ１７において、ＴＦＲ選択部１４０は、できるだけ符号化率が１/３に近くなるように、コードリソース量「Ｃｏｄｅ１」を算出する。
【０１４８】
変調方式が「ＱＰＳＫ」である場合、符号化率を１/３とすると、「１/３＝(ＴＢＳ１＋２４)／(９６０×(コードリソース量))であるため、ＴＦＲ選択部１４０は、「Ｃｏｄｅ１ ＝Ｒｏｕｎｄｄｏｗｎ((ＴＢＳ１＋２４)／３２０)」に従って、「Ｃｏｄｅ１」を算出する。
【０１４９】
一方、変調方式が「１６ＱＡＭ」である場合、符号化率を１/３とすると、「１/３＝(ＴＢＳ１＋２４)／(１９２０×(コードリソース量))であるため、ＴＦＲ選択部１４０は、「Ｃｏｄｅ１ ＝Ｒｏｕｎｄｄｏｗｎ((ＴＢＳ１＋２４)／６４０)」に従って、「Ｃｏｄｅ１」を算出する。
【０１５０】
ここで、関数Ｒｏｕｎｄｄｏｗｎ（ｘ）は、引数「ｘ」を切り下げる関数である。
【０１５１】
また、ＴＦＲ選択部１４０は、コードリソース量「Ｃｏｄｅ１」が「１」以上となるように、かつ、コードリソース量「Ｃｏｄｅ１」が初回送信時のコードリソース量「Ｃｏｄｅ２」以上となるように、かつ、コードリソース量「Ｃｏｄｅ１」が使用可能なコードリソース量「Ｃｏｄｅ０」以下となるように、「Ｃｏｄｅ１＝Ｍｉｎｉｍｕｍ（Ｃｏｄｅ０，Ｍａｘｉｍｕｍ（Ｃｏｄｅ２，Ｃｏｄｅ１，１））に従って、「Ｃｏｄｅ１」を算出する。
【０１５２】
ここで、関数Ｍｉｎｉｍｕｍ（ｘ，ｙ，ｚ，…）及び関数Ｍａｘｉｍｕｍ（ｘ，ｙ，ｚ，…）は、それぞれ、引数ｘ，ｙ，ｚ，…のうちの最小値及び最大値を示す関数である。
【０１５３】
ステップＳ１８において、ＴＦＲ選択部１４０は、パケットの送信に用いられる電力リソース量「Ｐｏｗｅｒ１」を、当該ＴＴＩにおいて使用可能な電力リソース量「Ｐｏｗｅｒ０」と同一とし、パケットの送信に用いられる変調方式「Ｍｏｄ１」を、初回送信時に用いられた変調方式「Ｍｏｄ２」と同一とする。
【０１５４】
ステップＳ１９において、ＴＦＲ選択部１４０は、変調方式を「ＱＰＳＫ」とした場合に、できるだけ符号化率が１/３に近くなるように、コードリソース量「Ｃｏｄｅ１」を算出する。
【０１５５】
また、ＴＦＲ選択部１４０は、コードリソース量「Ｃｏｄｅ１」が「１」以上となるように、かつ、コードリソース量「Ｃｏｄｅ１」が初回送信時のコードリソース量「Ｃｏｄｅ２」以上となるように、かつ、コードリソース量「Ｃｏｄｅ１」が使用可能なコードリソース量「Ｃｏｄｅ０」以下となるように、「Ｃｏｄｅ１＝Ｍｉｎｉｍｕｍ（Ｃｏｄｅ０，Ｍａｘｉｍｕｍ（Ｃｏｄｅ２，Ｃｏｄｅ１，１））に従って、「Ｃｏｄｅ１」を算出する。
【０１５６】
ステップＳ２０において、ＴＦＲ選択部１４０は、パケットの送信に用いられる電力リソース量「Ｐｏｗｅｒ１」を、当該ＴＴＩにおいて使用可能な電力リソース量「Ｐｏｗｅｒ０」と同一にし、パケットの送信に用いられる変調方式「Ｍｏｄ１」を「ＱＰＳＫ」とする。
【０１５７】
このように、電力リソース又はコードリソースの観点から、初回送信時の無線品質よりも当該ＴＴＩにおける無線品質の方が悪くなっている場合には、パケットを送信するためにできるだけ多くの電力リソース量を使用し、符号化的に効果がある領域までできるだけ多くのコードリソース量を使用することにより、再送時におけるパケット誤り率を低減することが可能となる。
【０１５８】
また、初回送信時に使用された変調方式が「１６ＱＡＭ」であった場合には、パケットの送信に用いられる変調方式を「ＱＰＳＫ」として、コードリソース量を最大限使用したときに適切な符号化率となる場合には、変調方式を「ＱＰＳＫ」に変更する。
【０１５９】
このように、フェージング変動やマルチパス干渉に対する耐性が強い変調方式である「ＱＰＳＫ」を使用することにより、再送時におけるパケット誤り率を低減することが可能となる。
【０１６０】
図９に示すように、Ｈ-ＡＲＱ制御における初回送信時には、ステップＳ２１において、当該ＴＴＩにおいて使用可能なコードリソース量「Ｃｏｄｅ０」が、所定の閾値「Ｃｏｄｅｔｈ」より大きい場合で、かつ、当該ＴＴＩにおいて使用可能な電力リソース量「Ｐｏｗｅｒ０」を考慮したＣＱＩである「ＣＱＩ０」が、所定の閾値「ＣＱＩｔｈ」より大きい場合で、かつ、当該移動局の他にパケットを送信すべき移動局が存在する場合には、本動作はステップＳ２２に進み、それ以外の場合には本動作はステップＳ２４に進む。
【０１６１】
ここで、「当該移動局の他にパケットを送信すべき移動局が存在する場合」とは、送るべきデータキューを持つ移動局が存在し、かつ、かかる移動局へのパケット送信に関する制御情報を伝送するＨＳ-ＳＣＣＨが存在する場合のことを指す。
【０１６２】
ステップＳ２２において、ＴＦＲ選択部１４０は、当該移動局の他にパケットを送信すべき移動局の数を「ｎ」とすると、当該ＴＴＩにおいて使用可能な電力リソース量がｎ等分されるように「ＣＱＩ０」の値を低減する。具体的には、ＴＦＲ選択部１４０は、「ＣＱＩ１＝ＣＱＩ０−ｍｉｎｕｓ（ｎ）」を計算する。
【０１６３】
ここで、関数ｍｉｎｕｓ（ｎ）は、当該移動局の他にパケットを送信すべき移動局の数「ｎ」を引数とする関数である。ＣＱＩの単位は「ｄＢ」であるため、例えば、ＴＦＲ選択部１４０は、「ｎ＝２」の場合には、電力リソースが２等分されるように「ＣＱＩ０」の値を低減するために「ｍｉｎｕｓ（２）＝３」と設定し、「ｎ＝３」の場合には、電力リソースが３等分されるように「ＣＱＩ０」の値を低減するために「ｍｉｎｕｓ（３）＝４.７」と設定し、「ｎ＝４」の場合には、電力リソースが４等分されるように「ＣＱＩ０」の値を低減するために「ｍｉｎｕｓ（４）＝６」と設定する。
【０１６４】
また、ＴＦＲ選択部１４０は、「ｍｉｎｕｓ（ｘ）＝１０×ｌｏｇ１０Ｎ」としてもよい。
【０１６５】
ステップＳ２３において、ＴＦＲ選択部１４０は、ステップＳ２２で「ＣＱＩ０」の値を低減した際に、低減後のＣＱＩの値である「ＣＱＩ１」が、所定の閾値「ＣＱＩｔｈ」よりも小さくならないようにする。
【０１６６】
ステップＳ２４において、当該移動局の他にパケットを送信すべき移動局が存在しない場合には、ＴＦＲ選択部１４０は、「ＣＱＩ１=ＣＱＩ０」とする。
【０１６７】
ステップＳ２１〜Ｓ２４の処理により、ＴＦＲ選択部１４０は、当該ＴＴＩにおいて複数の移動局に対して下りリンクのパケットを送信する際に、複数の移動局に対して均等に電力リソース量を割り当てることが可能となる。
【０１６８】
ステップＳ２５において、ＴＦＲ選択部１４０は、当該ＴＴＩにおいて使用可能なコードリソース量「Ｃｏｄｅ０」と「ＣＱＩ１」とに基づいて、送信フォーマット参照テーブルを参照して、当該ＴＴＩにおいてパケットの送信に用いられるトランスポートブロックサイズ「ＴＢＳ０」を算出する。
【０１６９】
ステップＳ２６において、「ＴＢＳ０」が「ＴＢＳＭＩＮ」よりも小さい場合には、本動作はステップＳ２７に進み、それ以外の場合には、本動作はステップＳ２８に進む。
【０１７０】
ここで、「ＴＢＳＭＩＮ」は、「（上位レイヤーにおける１つのパケットのデータ量）＋（ヘッダのデータ量）」によって構成される最小データ送信単位である。
【０１７１】
なお、ＭＡＣ-ｈｓレイヤー及びレイヤー１において送信するパケットは、上位レイヤーにおけるパケットとヘッダとによって構成されているため、上位レイヤーにおける１つのパケットのデータ量とヘッダのデータ量とを足し合わせた値「ＴＢＳＭＩＮ」よりも小さなトランスポートブロックサイズでは、どのようなパケットも送信することができない。
【０１７２】
ステップＳ２７において、ＴＦＲ選択部１４０は、当該ＴＴＩにおいてパケットの送信に用いられるトランスポートブロックサイズ「ＴＢＳ０」が小さい場合、上位レイヤーのパケットを１つも送ることができないため、当該移動局に対するパケットの送信を中止し、スケジューリング部１３０が、再度、当該ＴＴＩにおいてパケットを送信すべき移動局の選定を行う。
【０１７３】
ここで、スケジューリング部１３０は、ステップＳ２７において、その都度、上述のような移動局の再選定を行う代わりに、当該ＴＴＩにおいて使用可能な電力リソース量及びコードリソース量を仮定して、予め「上位レイヤーのパケットを１つも送ることができない移動局」を選定し、スケジューリング対象から外すという処理を行ってもよい。
【０１７４】
また、スケジューリング部１３０が、再度、当該ＴＴＩにおいてパケットを送信すべき移動局の選定を行う代わりに、ＴＦＲ選定部１４０は、「ＴＢＳ０」を、上位レイヤーのパケットを１つだけ送ることができるトランスポートブロックサイズ（最小データ送信単位）に変更し、その後、ステップＳ２８以降の処理を行ってもよい。
【０１７５】
この場合、実際のパケット誤り率が所望のパケット誤り率よりも劣化するが、当該移動局に対してパケットが送信されるため、当該移動局に対して全くパケットが送信されないという事態を回避することが可能となる。
【０１７６】
ステップＳ２８において、当該ＴＴＩにおいて当該移動局に対して送信を行うべきパケットのデータ量（データの大きさ）が「ＴＢＳ０」よりも大きい場合には、本動作はステップＳ２９ａに進み、それ以外の場合には、本動作はステップＳ３０に進む。
【０１７７】
ステップＳ２９ａにおいて、ＴＦＲ選定部１４０は、当該ＴＴＩにおいて使用可能な電力リソース「Ｐｏｗｅｒ０」と、ステップＳ２１〜Ｓ２４で算出した「ＣＱＩ０」及び「ＣＱＩ１」とに基づいて、送信フォーマット参照テーブルを参照して、パケットの送信に用いられる電力リソース「Ｐｏｗｅｒ１」を算出する。
【０１７８】
具体的には、ＴＦＲ選定部１４０は、以下の式を用いて、「Ｐｏｗｅｒ１」を算出する。
【０１７９】
Ｐｏｗｅｒ１＝Ｐｏｗｅｒ０−（ＣＱＩ０−ＣＱＩ１）＋ＴＦ_Ｒｅｌａｔｅｄ_Ｏｆｆｓｅｔ（Ｃｏｄｅ０，ＣＱＩ１）
また、ＴＦＲ選定部１４０は、前記送信フォーマット参照テーブルを参照して、パケットの送信に用いられる変調方式「Ｍｏｄ１」及びコードリソース量「Ｃｏｄｅ１」を算出する。
【０１８０】
具体的には、ＴＦＲ選定部１４０は、以下の式を用いて、「Ｍｏｄ１」及び「Ｃｏｄｅ１」を算出する。
【０１８１】
Ｍｏｄ１＝ＴＦ_Ｒｅｌａｔｅｄ_Ｍｏｄ（Ｃｏｄｅ０，ＣＱＩ１）
Ｃｏｄｅ１＝ＴＦ_Ｒｅｌａｔｅｄ_Ｃｏｄｅ（Ｃｏｄｅ０，ＣＱＩ１）
さらに、ＴＦＲ選定部１４０は、パケットの送信に用いられるトランスポートブロックサイズ「ＴＢＳ１」を「ＴＢＳ０」とする。
【０１８２】
ステップＳ２９ｂにおいて、「Ｐｏｗｅｒ１」が、所定の電力リソース量の下限値「ＰｏｗｅｒＭＩＮ」よりも小さい場合には、本動作はステップＳ２９ｃに進み、それ以外の場合には、本動作は終了する。
【０１８３】
ステップＳ２９ｃにおいて、ＴＦＲ選択部１４０は、「ＰｏｗｅｒＭＩＮ」の値を「Ｐｏｗｅｒ１」に設定する。
【０１８４】
ステップＳ３０において、ＴＦＲ選定部１４０は、当該ＴＴＩにおいて使用可能なコードリソース量「Ｃｏｄｅ０」と、送信すべきパケットを送信可能な最小のトランスポートブロックサイズとに基づいて、送信フォーマット参照テーブルを参照して、送信すべきデータを送信可能な最小のトランスポートブロックサイズに対応するＣＱＩである「ＣＱＩ１」を算出する。
【０１８５】
具体的には、ＴＦＲ選定部１４０は、以下の式を用いて、「ＣＱＩ１」を算出する。
【０１８６】
ＣＱＩ１＝ＴＦ_Ｒｅｌａｔｅｄ_ＣＱＩ（Ｃｏｄｅ０，送信すべきパケットを送信可能な最小のトランスポートブロックサイズ）
ステップＳ３１において、ＴＦＲ選定部１４０は、当該ＴＴＩにおいて使用可能な電力リソース量「Ｐｏｗｅｒ０」と、「ＣＱＩ０」及び「ＣＱＩ１」とに基づいて、パケットの送信に用いられる電力リソース量「Ｐｏｗｅｒ１」を算出する。
【０１８７】
具体的には、ＴＦＲ選定部１４０は、以下の式を用いて、「Ｐｏｗｅｒ１」を算出する。
【０１８８】
Ｐｏｗｅｒ１＝Ｐｏｗｅｒ０−（ＣＱＩ０−ＣＱＩ１）×α 
ここで、αは所定の定数である。定義上、ＣＱＩの単位は、電力リソース量の単位と同じ「ｄＢ」であるため、αを「１」とする。
【０１８９】
かかる処理によって、送信するパケットのデータ量が小さくなった分だけ、パケットの送信に用いられる電力リソース量が低減するため、効率よく電力リソースを使用してパケットの送信を行うことが可能となると共に、他のセルへの干渉量を低減することも可能となる。
【０１９０】
ステップＳ３２において、「Ｐｏｗｅｒ１」が、所定の電力リソース量の下限値「ＰｏｗｅｒＭＩＮ」よりも小さい場合には、本動作はステップＳ３３に進み、それ以外の場合には、本動作はステップＳ３４に進む。
【０１９１】
ステップＳ３３において、ＴＦＲ選択部１４０は、「ＰｏｗｅｒＭＩＮ」の値を「Ｐｏｗｅｒ１」に設定する。
【０１９２】
パケットの送信に用いられる電力リソース量が、「ＰｏｗｅｒＤｅｆａｕｌｔ」と比較して過度に小さい値の場合に、ＣＱＩと電力リソース量との間の線形性が崩れ、パケット誤り率が激しく劣化する場合が存在する。
【０１９３】
例えば、ステップＳ３１において、「ＣＱＩ１＝２」で、かつ、「ＣＱＩ０＝２２」で、かつ、「Ｐｏｗｅｒ０＝ＰｏｗｅｒＤｅｆａｕｌｔ＝４０ｄＢｍ」で、かつ、「α＝１」であった場合に、「Ｐｏｗｅｒ１＝２０ｄＢｍ」となるが、「Ｐｏｗｅｒ１」の値が過度に小さすぎるために、パケット誤り率が劣化する場合がある。
【０１９４】
したがって、パケットの送信に用いられる電力リソース量の所定の下限値「ＰｏｗｅｒＭＩＮ」を設定し、パケットの送信に用いられる電力リソース量が「ＰｏｗｅｒＭＩＮ」よりも小さくならないようにすることにより、パケット誤り率の劣化を防ぐことが可能となる。
【０１９５】
例えば、「ＰｏｗｅｒＭＩＮ＝２５ｄＢｍ」と設定することにより、「ＣＱＩ２」に相当する送信方法で、電力リソース量を「２０ｄＢｍ」ではなく「２５ｄＢｍ」で送信を行うことが可能となり、パケット誤り率の劣化を防ぐことが可能となる。
【０１９６】
ステップＳ３４において、ＴＦＲ選択部１４０は、送信フォーマット参照テーブルを参照して、パケットの送信に用いられる変調方式「Ｍｏｄ１」及びコードリソース量「Ｃｏｄｅ１」を算出する。
【０１９７】
具体的には、ＴＦＲ選択部１４０は、以下の式を用いて、「Ｍｏｄ１」及び「Ｃｏｄｅ１」を算出する。
【０１９８】
Ｍｏｄ１＝ＴＦ_Ｒｅｌａｔｅｄ_Ｍｏｄ(Ｃｏｄｅ０，ＣＱＩ１)
Ｃｏｄｅ１＝ＴＦ_Ｒｅｌａｔｅｄ_Ｃｏｄｅ(Ｃｏｄｅ０，ＣＱＩ１)
さらに、ＴＦＲ選択部１４０は、パケットの送信に用いられるトランスポートブロックサイズ「ＴＢＳ１」に「ＴＢＳ１」の値を設定する。
【０１９９】
（本発明の第１の実施形態に係る移動通信システムの作用・効果）
本発明の第１の実施形態に係る移動通信システムによれば、パケットの送信に使用可能な送信リソースと、下りリンクの無線品質情報と、パケットの送信に用いられる送信方法とを関連付けて記憶している送信フォーマット参照テーブル保存部１７０に保存されている送信フォーマット参照テーブルを参照することによって、パケットの送信に用いられる送信方法（送信フォーマット及び送信リソース）を効率的に決定することができる。
【０２００】
（変更例１）
上述の第１の実施形態では、図６に示すように、送信フォーマット参照テーブルにおける電力リソース量のオフセット値のステップ幅は、ＣＱＩの単位が１ｄＢであるために、１ｄＢに設定されている。
【０２０１】
しかしながら、本発明は、かかる場合に限定されるものではなく、図１０に示すように、電力リソース量のオフセット値を、「１ｄＢ」ではなく「０.７ｄＢ」等の「１ｄＢ」より小さい値をした場合にも適用可能である。すなわち、本変更例１では、送信フォーマット参照テーブルにおいて、電力リソースのオフセット値のステップ幅が、１ｄＢ未満に設定されている。
【０２０２】
本変更例１によれば、電力リソース量のオフセット値を適切な値に設定することが可能となる。この結果、パケットの送信に用いられる電力リソースが、上述の「ＰｏｗｅｒＤｅｆａｕｌｔ」と比較して過度に小さい値の場合であっても、ＣＱＩと電力リソース量と間の線形性が崩れ、パケットの誤り率が激しく劣化することを回避することができる。
【０２０３】
（変更例２）
また、例えば、図８のステップＳ１１において、「ＣＱＩ２−ＣＱＩ０」の値が大きい時、又は、図９のステップＳ３１において、「ＣＱＩ０−ＣＱＩ１」の値が大きい時には、ＣＱＩと電力リソース量との間の線形性が崩れることにより、αを「１」と設定した場合、過剰に電力リソースを低減することがある。このとき、電力リソース量が所望の値よりも小さくなるため、パケット誤り率が劣化するという問題が存在する。
【０２０４】
そこで、本変更例２では、αを「１」ではなく、例えば、「０.７」と設定することにより、低減する電力リソース量が過剰に大きくなることを防ぐことが可能となり、結果として、パケット誤り率の劣化を防ぐことが可能となる。
【０２０５】
すなわち、所定の定数αを用いて、効率よく送信リソースを使用するために低減する電力リソース量と、過剰に電力リソース量を低減することによるパケット誤り率の劣化度合いを制御することが可能となる。
【０２０６】
（変更例３）
本変更例３では、ＴＦＲ選択部１４０は、パケットの送信に使用可能な送信リソースに含まれる電力リソースが残っている場合、パケットの送信に用いられる送信方法として決定された電力リソース量に当該電力リソースを加える。
【０２０７】
ここで、複数の移動局に対して下りリンクのパケットを送信する場合には、ＴＦＲ選択部１４０は、均等に、残りの電力リソースを足し合わせる。また、ＴＦＲ選択部１４０は、上記のように「均等」ではなく、最も優先度の高い移動局に対して優先的に、残りの電力リソースを割り当ててもよい。
【０２０８】
本変更例３によれば、本来よりも多めに電力リソース量を割り当てることにより、パケット誤り率を引き下げることが期待できる。
【０２０９】
（変更例４）
また、ＭＡＣ-ｈｓ処理部１１２は、例えば、ＣＰＵやデジタルシグナルプロセッサ（ＤＳＰ）やＦＰＧＡ等のプログラムの書き換えが可能なプログラマブルデバイスで構成されており、上述した処理を実行するプログラムが所定のメモリ領域に記憶されており、パラメータ又は関数（ＣＱＩＭＡＸ、α、ＰｏｗｅｒＭＩＮ、ＣＲＭＡＸ、Ｃｏｄｅｔｈ、ＣＱＩｔｈ、ｍｉｎｕｓ（ｎ））がダウンロードによって書き換えられる構成がとられていてもよい。
【０２１０】
この時、ＭＡＣ-ｈｓ処理部１１２は、上述のパラメータ又は関数を無線基地局１００の上位ノードからダウンロードするように構成されていてもよいし、ＴＦＲ選択部１４０及びＴＢＳ再選択部１８０に端末Ｉ/Ｆ（外部インターフェース機能）を設け、直接、端末から上述のパラメータ又は関数を読み込むように構成されていてもよい。
【０２１１】
また、ＭＡＣ-ｈｓ処理部１１２の各機能ブロックは、ハードウェアで分割されていてもよいし、プロセッサ上のプログラムでソフトウェアとして分割されていてもよい。
【０２１２】
また、上述の実施形態では、３ＧＰＰにおける高速パケット伝送方式であるＨＳＤＰＡ方式に関して記述したが、本発明は、ＨＳＤＰＡ方式に限定されるものではなく、移動通信システムにおける下りパケットの送信制御（特にＡＭＣ方式）を行う他の高速パケット伝送方式に適用することが可能である。
【０２１３】
例えば、他の高速パケット伝送方式としては、３ＧＰＰ２におけるｃｄｍａ２０００方式の１ｘＥＶ-ＤＯ方式やＴＤＤ方式における高速パケット伝送方式等が挙げられる。
【０２１４】
（変更例５）
上述の第１の実施形態に係る送信フォーマット参照テーブルは、ＣＱＩと、トランスポートブロックサイズと、コードリソース量と、変調方式と、電力リソースのオフセット値とを関連付けていたが、本変更例５に係る送信フォーマット参照テーブルは、下りリンクの無線品質情報として、ＣＱＩの代わりに、ＳＩＲを保持するように構成されている。
【０２１５】
すなわち、本変更例５に係る送信フォーマット参照テーブルは、ＳＩＲと、トランスポートブロックサイズと、コードリソース量と、変調方式と、電力リソースの電力オフセットとを関連付けている。
【０２１６】
ここで、ＴＦＲ選択部１４０における下りリンクのパケットの送信方法を決定する動作においては、送信フォーマット参照テーブル保持部１７０は、所定の計算式を用いて、ＣＱＩの値をＳＩＲの値に変換する。かかる計算式としては、例えば、「ＳＩＲ＝ＣＱＩ−４.５」のような式が考えられる。
【図面の簡単な説明】
【０２１７】
【図１】本発明の一実施形態に係る移動通信システムの全体構成図である。
【図２】本発明の一実施形態に係る移動通信システムの無線基地局の機能ブロック図である。
【図３】本発明の一実施形態に係る移動通信システムの無線基地局のベースバンド信号処理部の機能ブロック図である。
【図４】本発明の第１の実施形態に係る移動通信システムの無線基地局のベースバンド信号処理部のＭＡＣ-ｈｓ処理部の機能ブロック図である。
【図５】本発明の第１の実施形態に係る移移動通信システムの無線基地局のベースバンド信号処理部のＭＡＣ-ｈｓ処理部のＨ-ＡＲＱ制御部で行われるストップアンドウェイトプロトコルの動作の一例を示す図である。
【図６】本発明の第１の実施形態に係る移移動通信システムの無線基地局のベースバンド信号処理部のＭＡＣ-ｈｓ処理部の送信フォーマット参照テーブル保持部で保持される送信フォーマット参照テーブルの一例を示す図である。
【図７】本発明の第１の実施形態に係る移移動通信システムの無線基地局のベースバンド信号処理部のＭＡＣ-ｈｓ処理部のＴＦＲ選択部において、下りリンクのパケットの送信方法を決定する動作を示すフローチャートである。
【図８】本発明の第１の実施形態に係る移移動通信システムの無線基地局のベースバンド信号処理部のＭＡＣ-ｈｓ処理部のＴＦＲ選択部において、下りリンクのパケットの送信方法を再決定する動作を示すフローチャートである。
【図９】本発明の第１の実施形態に係る移移動通信システムの無線基地局のベースバンド信号処理部のＭＡＣ-ｈｓ処理部のＴＦＲ選択部において、下りリンクのパケットの送信方法を再決定する動作を示すフローチャートである。
【図１０】本発明の変更例１に係る移移動通信システムの無線基地局のベースバンド信号処理部のＭＡＣ-ｈｓ処理部の送信フォーマット参照テーブル保持部で保持される送信フォーマット参照テーブルの一例を示す図である。
【符号の説明】
【０２１８】
１０、１１、１２…移動局
１００…無線基地局
１０１…送受信アンテナ
１０２…アンプ部
１０３…送受信部
１０４…ベースバンド信号処理部
１０５…呼処理部
１０６…伝送路インターフェース
１１１…レイヤー１処理部
１１２…ＭＡＣ-ｈｓ処理部
１１０…ＣＱＩ取得部
１２０…ＡＣＫ/ＮＡＣＫ/ＤＴＸ取得部
１３０…スケジューリング部
１４０…ＴＦＲ選択部
１５０…ＭＡＣ-ｈｓリソース計算部
１５１…ＨＳ-ＤＳＣＨ電力リソース計算部
１５２…ＨＳ-ＤＳＣＨコードリソース計算部
１６０…Ｈ-ＡＲＱ制御部
１７０…送信フォーマット参照テーブル保持部
【図１】
2006115357.tif 000003
【図２】
2006115357.tif 000004
【図３】
2006115357.tif 000005
【図４】
2006115357.tif 000006
【図５】
2006115357.tif 000007
【図６】
2006115357.tif 000008
【図７】
2006115357.tif 000009
【図８】
2006115357.tif 000010
【図９】
2006115357.tif 000011
【図１０】
2006115357.tif 000012